(57)【要約】【課題】隣接するイメージセンサの読取画素が主走査方向にて複数個互いに重なり合うように千鳥状に配列された構成の画像読取装置において、光量損失を抑えて光学的に安定させ、良好な読み取りを可能にする。【解決手段】複数のイメージセンサ１を、画像読取の主走査方向における端部１ａの読取画素が重なり合うように千鳥状に配設する。これらの各イメージセンサ１に内設された光源からの光の出射口１０近傍に、他のイメージセンサ１との光干渉を防止するための遮光壁１１を主走査方向に延在させ、重なり合う部分におけるイメージセンサ１同士の照度干渉の影響を最小限に抑える。【選択図】図２
2008028895.tif 000002
【特許請求の範囲】
【請求項１】
複数の読取画素が主走査方向にライン状に配列され、かつ内部に読取対象を照明する光源を具備する複数のイメージセンサを、隣接するイメージセンサの前記読取画素が主走査方向にて複数個互いに重なり合うように千鳥状に配列された画像読取装置において、
前記イメージセンサにおける少なくとも前記読取画素が重なり合う部位に、隣接する一方のイメージセンサからの出射光が他方のイメージセンサに光干渉することを防止する干渉防止部材を備えたことを特徴とする画像読取装置。
【請求項２】
前記干渉防止部材が遮光壁であることを特徴とする請求項１記載の画像読取装置。
【請求項３】
前記干渉防止部材における少なくともイメージセンサの光出射側を鏡面状態にしたことを特徴とする請求項１または２記載の画像読取装置。
【請求項４】
前記イメージセンサを収納する筺体に前記干渉防止部材を設けたことを特徴とする請求項１〜３いずれか１項記載の画像読取装置。
【請求項５】
前記干渉防止部材を、前記イメージセンサに対向設置されるコンタクトガラスに一体的に設けたことを特徴とする請求項１〜３いずれか１項記載の画像読取装置。
【請求項６】
前記干渉防止部材を、隣接する前記イメージセンサにおける前記読取画素が重なり合う部位のみに設けたことを特徴とする請求項１〜５いずれか１項記載の画像読取装置。
【請求項７】
前記干渉防止部材を、隣接する前記イメージセンサにおける前記読取画素が重なり合う部位の周囲に設けたことを特徴とする請求項１〜５いずれか１項記載の画像読取装置。
【請求項８】
前記干渉防止部材を、隣接する前記イメージセンサにおける少なくともいずれか一方の前記読取画素が重なり合う部位に設けたことを特徴とする請求項１〜７いずれか１項記載の画像読取装置。
【発明の詳細な説明】
【技術分野】
【０００１】
本発明は、複数の読取画素が主走査方向にライン状に配列されている複数のイメージセンサを、隣接するイメージセンサの読取画素が主走査方向にて複数個互いに重なり合うように千鳥状に配列してなる構成の画像読取装置に関するものである。
【背景技術】
【０００２】
図７は従来の画像読取装置の構成の断面図、図８は従来の画像読取装置のイメージセンサ部分の構成図、図９は従来の画像読取装置のイメージセンサ部分を示す斜視図である。
【０００３】
図７〜図９において、１は画像読取の主走査方向に複数個（本例では３個）が延在されたイメージセンサ（ＣＩＳ）であり、各ＣＩＳ１の筺体２内には、複数の読取画素である光電変換素子（図示せず）が主走査方向にライン状に配列され、かつ読取対象である原稿面を照明する光源３などが設けられている。また隣接するＣＩＳ１は、互いに主走査方向において任意の寸法で端部１ａが、すなわち複数個の読取画素が重なり合うように千鳥状に配設されている（特許文献１，２参照）。
【０００４】
４は、ＣＩＳ１上方に配され、面上を原稿が移動するコンタクトガラス、５は、コンタクトガラス４のＣＩＳ１の設置部分に対向設置されて、原稿をコンタクトガラス４に押圧する押圧板、６，６はＣＩＳ１の設置位置の原稿搬送方向上流側と下流側とにそれぞれ設置された原稿搬送ローラである。
【０００５】
前記構成の画像読取装置では、原稿がコンタクトガラス４上を原稿搬送ローラ６，６により搬送され、コンタクトガラス４においてＣＩＳ１により原稿画像が読み取られる。
【０００６】
一般的に、ＣＩＳ１の焦点深度は浅く、通常、原稿を押圧板５によってコンタクトガラス４に密着させるか、焦点深度内に収めるためにコンタクトガラス４と押圧板５とのクリアランスを最小限に抑える構造にしている。
【０００７】
図８に示すように、コンタクトガラス４の下面とＣＩＳ１の上面との間Ｓは、焦点位置の関係もあって、通常、空間状態になっている。
【特許文献１】特開２００２−３１４７６８号公報
【特許文献２】特開２００１−７９９０号公報
【発明の開示】
【発明が解決しようとする課題】
【０００８】
前記構成の画像読取装置のように、複数のＣＩＳを主走査方向に千鳥状に配列する構成のものは、大判の原稿画像を読み取ることに適している。しかしながら、複数のＣＩＳを設置したことによる機械的，光学的などの不具合が発生し易いため、より良質の画像読み取りが行われるように各種の工夫がなされている。
【０００９】
例えば、特許文献１には、温湿度変化によるＣＩＳの変形を防止して画質補正を行う構成が記載されている。また、特許文献２では、ＣＩＳの重なった部分の光源をマスクで覆い、安定した部分のみを用いて均一な光量を得るようにした構成が記載されている。
【００１０】
また、図８に示すように、ＣＩＳ１の光源３は、筺体２内の両側から任意の角度で光出射するために、ＣＩＳ１における主走査方向で重なり合った部分では、隣接するＣＩＳ１の照度影響を受け易く、互いの光干渉（２点鎖線の交差部分Ａ）にて白補正や画質に悪影響を与え、特にフルカラーで読み取る場合には、ＣＩＳ１の繋ぎ部分における濃度差が大きく、画質濃度差，濃度斑を発生することがあった。
【００１１】
本発明の目的は、隣接するイメージセンサの読取画素が主走査方向にて複数個互いに重なり合うように千鳥状に配列された構成の画像読取装置において、光量損失を抑えて光学的に安定させ、良好な読み取りを可能にする画像読取装置を提供することにある。
【課題を解決するための手段】
【００１２】
前記目的を達成するため、請求項１に記載の発明は、複数の読取画素が主走査方向にライン状に配列され、かつ内部に読取対象を照明する光源を具備する複数のイメージセンサを、隣接するイメージセンサの前記読取画素が主走査方向にて複数個互いに重なり合うように千鳥状に配列された画像読取装置において、前記イメージセンサにおける少なくとも前記読取画素が重なり合う部位に、隣接する一方のイメージセンサからの出射光が他方のイメージセンサに光干渉することを防止する干渉防止部材を備えたことを特徴とし、この構成によって、イメージセンサの重なり合う部分における互いの光干渉を防止することにより、照度影響を最小限に抑え、読み取った画像のイメージセンサ繋ぎ部分の濃度差，濃度斑の発生を最小限に抑えることができる。
【００１３】
請求項２に記載の発明は、請求項１記載の画像読取装置において、干渉防止部材が遮光壁であることを特徴とし、この構成によって、物理的な遮蔽壁を設けることにより、簡単な構造で、隣接するイメージセンサにおける互いの照度干渉を最小限に抑えることができる。
【００１４】
請求項３に記載の発明は、請求項１または２記載の画像読取装置において、干渉防止部材における少なくともイメージセンサの光出射側を鏡面状態にしたことを特徴とし、この構成によって、鏡面部分により、発光される光量を読取部に集中させることが可能になり、光量不足を防ぐことができる。
【００１５】
請求項４に記載の発明は、請求項１〜３いずれか１項記載の画像読取装置において、イメージセンサを収納する筺体に干渉防止部材を設けたことを特徴とする。
【００１６】
請求項５に記載の発明は、請求項１〜３いずれか１項記載の画像読取装置において、干渉防止部材を、イメージセンサに対向設置されるコンタクトガラスに一体的に設けたことを特徴とし、この構成によって、各イメージセンサを千鳥配列の際、干渉防止部材を基にして取り付けることにより、副走査および高さ方向の位置決めが簡単になり、各種位置調整を自動で行うことが可能になる。
【００１７】
請求項６に記載の発明は、請求項１〜５いずれか１項記載の画像読取装置において、干渉防止部材を、隣接するイメージセンサにおける読取画素が重なり合う部位のみに設けたことを特徴とし、この構成によって、干渉防止部材を設けても、部品の小型化による高寸法精度、および低コストを実現することができる。
【００１８】
請求項７に記載の発明は、請求項１〜５いずれか１項記載の画像読取装置において、干渉防止部材を、隣接する前記イメージセンサにおける読取画素が重なり合う部位の周囲に設けたことを特徴とし、この構成によって、干渉防止部材を利用して他部材に対する平行，高さ方向の位置決めが可能となり、焦点調整の簡略化を図ることができるなど、センシング角度差による濃度差，濃度斑の発生を最小限に抑えることができる。
【００１９】
請求項８に記載の発明は、請求項１〜７いずれか１項記載の画像読取装置において、干渉防止部材を、隣接するイメージセンサにおける少なくともいずれか一方の読取画素が重なり合う部位に設けたことを特徴とし、この構成によって、干渉防止部材の設置構成を簡素化することができる。
【発明の効果】
【００２０】
本発明によれば、隣接するイメージセンサの読取画素が主走査方向にて複数個互いに重なり合うように千鳥状に配列された構成の画像読取装置であっても、イメージセンサの重なり合う部分における互いの光干渉を防止することにより、光量損失を抑えて光学的に安定させることができ、イメージセンサ繋ぎ部分における読み取り画像の濃度差，濃度斑の発生を最小限に抑えることができるため、良好な読み取りが実現する。
【発明を実施するための最良の形態】
【００２１】
以下、本発明の実施の形態を図面を参照して説明する。なお、本実施形態におけるイメージセンサは、図７に示すような画像読取装置に適用されるものであり、以下の説明において、図７〜図９にて説明した部材に対応する部材には同一符号を付して詳しい説明は省略する。
【００２２】
図１は本発明に係る画像読取装置の実施形態１におけるイメージセンサ部分の構成図、図２は図１に示す実施形態１のイメージセンサ部分を示す斜視図である。
【００２３】
図１，図２において、１は画像読取の主走査方向に複数個（本例では３個）が延在されたイメージセンサであり、該イメージセンサ１の筺体２内には、複数の読取画素である光電変換素子（図示せず）が主走査方向にライン状に配列され、かつ光源３などが設けられている。各イメージセンサ１は、主走査方向において任意の寸法で互いに隣り合う端部１ａが、すなわち複数個の読取画素が重なり合うように千鳥状に配設されている。なお、図中の４はコンタクトガラスを示す。
【００２４】
実施形態１では、各イメージセンサ１の光源３から光が外部に出射する出射口１０近傍の隣接するイメージセンサ１側の筺体２上に、干渉防止部材としての遮光壁１１を主走査方向に延在するように突設している。
【００２５】
このようにしたことにより、本実施形態では、図１に示すように、図８に示した光干渉（２点鎖線の交差部分Ａ）が遮光壁１１の遮光作用によりなくなり、簡単な構成により、重なり合う部分におけるイメージセンサ１同士の照度干渉の影響を最小限に抑えることができ、読み取った画像のイメージセンサ繋ぎ部分の濃度差，濃度斑の発生を最小限に抑えることが可能になり、読取画像の安定化，高画質化を図ることができる。
【００２６】
また、各遮光壁１１の側面を、すなわち、少なくともイメージセンサ１の出射口１０側を、ミラー化（鏡面）することにより、イメージセンサ１の光軸上から逃げる拡散光を読取部に集中させることができ、不足分の光量を補うことができる。
【００２７】
図３は本発明に係る画像読取装置の実施形態２におけるイメージセンサ部分を示す斜視図であり、実施形態２では、遮光壁１２の形状を、イメージセンサ１における千鳥状に重なり合う部分にのみに設置するように短くしており、部品の小型化による高寸法精度、および低コストを実現でき、しかも、影響を受け易い部分のみを遮蔽することにより、部品形状の高精度化が可能になる。
【００２８】
図４は本発明に係る画像読取装置の実施形態３におけるイメージセンサ部分を示す斜視図であり、実施形態３では、遮光壁１３の形状を平面視コ状にして、該遮光壁１３を、イメージセンサ１の重なり合う部位における各出射口１０の外周を囲むように設けている。このようにすることにより、各遮光壁１３を、コンタクトガラス４の下面に付勢手段により押し付けるような構成にすることにより、各遮光壁１３が、各イメージセンサ１の両端部略全周部を覆うようになるため、各イメージセンサ１は安定した状態でコンタクトガラス４の下面に取り付けられることになる。
【００２９】
図５は本発明に係る画像読取装置の実施形態４におけるイメージセンサ部分の構成図、図６は図５に示す実施形態４のイメージセンサ部分を示す斜視図である。
【００３０】
図５に示すように、コンタクトガラス４の下面に側面視Ｔ状の遮光壁１４を一体になるように固定し、該遮光壁１４を、主走査方向に隣接するイメージセンサ１間に、主走査方向に延在させ、かつ、このＴ状の遮光壁１４に対して遮光壁１１を、出射口１０を挟んで対向するように主走査方向に延在させている。
【００３１】
このようにすることにより、Ｔ状の遮光壁１４の両側にイメージセンサ１を押し付けるように組み付けることにより、各イメージセンサ１における副走査方向のコンタクトガラス４に対する平行度，直線度が決まり、またＴ状の遮光壁１４とコンタクトガラス４とが密着した状態になるため、イメージセンサ１のコンタクトガラス４に対する高さ位置も決まるため、遮光壁１４が位置決め部材として機能することになる。
【産業上の利用可能性】
【００３２】
本発明は、スキャナ，複写機，ファクシミリ装置，それらの複合機などにおける画像読取部に適用され、特に隣接するイメージセンサの読取画素が主走査方向にて複数個互いに重なり合うように千鳥状に配列された構成の画像読取装置に用いて有効である。
【図面の簡単な説明】
【００３３】
【図１】本発明に係る画像読取装置の実施形態１におけるイメージセンサ部分の構成図
【図２】図１に示す実施形態１のイメージセンサ部分を示す斜視図
【図３】本発明に係る画像読取装置の実施形態２におけるイメージセンサ部分を示す斜視図
【図４】本発明に係る画像読取装置の実施形態３におけるイメージセンサ部分を示す斜視図
【図５】本発明に係る画像読取装置の実施形態４におけるイメージセンサ部分の構成図
【図６】図５に示す実施形態４のイメージセンサ部分を示す斜視図
【図７】従来の画像読取装置の構成の断面図
【図８】従来の画像読取装置のイメージセンサ部分の構成図
【図９】従来の画像読取装置のイメージセンサ部分を示す斜視図
【符号の説明】
【００３４】
１  イメージセンサ（ＣＩＳ）
２  筺体
３  光源
４  コンタクトガラス
１０  出射口
１１〜１４  遮光壁（干渉防止部材）
【図１】
2008028895.tif 000003
【図２】
2008028895.tif 000004
【図３】
2008028895.tif 000005
【図４】
2008028895.tif 000006
【図５】
2008028895.tif 000007
【図６】
2008028895.tif 000008
【図７】
2008028895.tif 000009
【図８】
2008028895.tif 000010
【図９】
2008028895.tif 000011